(57)【要約】      （修正有）【課題】快適に着用でき且つ通気効果を有するベルトを提供する。【解決手段】ベルト本体１は、ポリ塩化ビニル（ＰＶＣ，Ｐｏｌｙｖｉｎｙｌ  Ｃｈｌｏｒｉｄｅ）、ポリウレタン（Ｐｕ，Ｐｏｌｙｕｒｅｔｈａｎｅ）又はシリコーン材質である通気性を有するベルトであり、ベルト本体１に間隔をおいて複数の貫通孔１２を配列し、通気及び換気作用を持たせることを特徴とし、着用が快適である目的を達成する。また、ベルト本体１の表裏面の上下両側にそれぞれ横方向の細凹溝１５，１６を設け、ベルト本体１の可撓性及び柔軟性を向上させ、更に、着用使用時にベルト本体１を更に腰部に貼合させ、着用時の快適性を更に向上させることができる。【選択図】図２
0003192710.tif 000002
【実用新案登録請求の範囲】
【請求項１】
ベルト本体を含み、該ベルト本体の一側に複数のベルト孔を設け、ベルト本体の他側は、ベルトヘッドに接続することに用い、且つ該ベルト本体は、ポリ塩化ビニル(PVC, Polyvinyl Chloride)、ポリウレタン(PU, Polyurethane)又はシリコーン材質である通気性を有するベルトであり、
該ベルト本体に間隔をおいて複数の貫通孔を配列し、通気及び換気作用を持たせることを特徴とする通気性を有するベルト。
【請求項２】
前記ベルト本体の表裏面の上下両端にそれぞれ横方向の細凹溝を設ける請求項１に記載の通気性を有するベルト。
【考案の詳細な説明】
【技術分野】
【０００１】
本考案は、新型のベルトに関し、特に、ベルトの本体に間隔をおいて複数の貫通孔を配列し、換気及び通気作用を有するものに関する。
【背景技術】
【０００２】
従来のベルトの設計の問題点は、ベルトが換気及び通気作用及び着用時の快適性を考慮していない点にあり、例えば、中華民国専利文献の公告第１８７２４３号「ベルトヘッド固定部材の改良新構造」の専利案は、主にフック受け、ベルトフック部材、フックヘッド及び内面に滑り止めプラスチックストリップを縫い付けたベルトから構成され、そのうち、フックヘッド前端は、２つのフックを有し、フック受けと結合することができ、ベルトフック部材は、内面に間隔をおいた凸ブロック状を呈し、それは、ベルトの滑り止めプラスチックストリップと互いに引っ掛かり合って滑り止めすることができ、前記専利のうちの滑り止めプラスチックストリップを打ち付けたシートは、換気及び通気の作用を有さず、且つ可撓性が良好でないので、使用者の着用が快適でない。前記広告第１８７２４３号専利は、依然として本考案の特徴のようには改善できておらず、本考案の通気効果を有する実用性及び便利性を具えてはいない。
【０００３】
従来の軟性プラスチック又はシリコーン材質のベルト本体２（図１参照）は、その一側に複数のベルト孔２１を有し、他側２２は、ベルトヘッド２０に接続することに用い、該ベルトヘッドは、フック２０１を設け、前記ベルト本体２の他側２２と係合接続することに用い、前記ベルトが使用される時は、ほとんどが健康、運動又は細い腰、ウエストに対してズボンの頭と腰際の衣服を貼付させる為である。しかしながら、往々にして
ベルト本体２をズボンの頭に締め付けることによって一般に使用者は、ウエスト箇所に熱を発生し、通気せず、ウエスト箇所が熱くなり、特に、夏は、天気が蒸し暑く、体内に対して放熱し難くなり、体内の熱気をウエスト箇所に停滞させ、更には、胸部及び背中を発汗させる苦痛が生じる。
【０００４】
本考案は、前記従来の軟性プラスチック又はシリコーン材質のベルトの欠陥に鑑み、絶え間ない研究、改良及び試験を経て、ようやく通気性を有するベルトを考案設計している。
【先行技術文献】
【特許文献】
【０００５】
【特許文献１】特開２０１２−１３６８１５号公報
【考案の概要】
【考案が解決しようとする課題】
【０００６】
本考案の目的は、通気性を有するベルトを提供することにあり、即ち、ウエストに対して、貼合し且つ着用に便利であり、レジャー、スポーツ又は各種の場面で何れも適用可能な通気性を有するベルトを提供することにあり、本考案は、また、前記従来のベルトの着用使用時の通気性がなく、排気効果が良好でなく、着用が快適でないという欠陥を改善することができ、該ベルト本体に間隔をおいて複数の貫通孔を配列し、通気及び換気作用を有し、着用が快適である目的を達成し、且つベルト本体の表裏面の上下両側にそれぞれ横方向の細凹溝を設け、ベルト本体の可撓性及び柔軟性を相対して工場させることができ、従って、着用使用時にベルト本体を腰部に更に貼合させ、更に着用の快適性を向上させることができる。
【課題を解決するための手段】
【０００７】
本考案の通気性を有するベルトは、ベルト本体を含み、該ベルト本体の一側に複数のベルト孔を設け、ベルト本体の他側は、ベルトヘッドに接続することに用い、且つ該ベルト本体は、ポリ塩化ビニル(PVC, Polyvinyl Chloride)、ポリウレタン(PU, Polyurethane)又はシリコーン材質である通気性を有するベルトであり、該ベルト本体に間隔をおいて複数の貫通孔を配列し、通気及び換気作用を持たせることを特徴とする。
【考案の効果】
【０００８】
本考案は、下記の増進効果を有する：
1.ベルト本体１に間隔をおいて複数の貫通孔１２を配列し、通気及び換気作用を有し、着用が快適である目的を達成する。
2.ベルト本体１の表裏面の上下両側にそれぞれ横方向の細凹溝１５，１６を設け、ベルト本体１の可撓性及び柔軟性を相対して向上させ、更に、着用使用時にベルト本体１を更に腰部に貼合させ、着用時の快適性を更に向上させることができる。
【図面の簡単な説明】
【０００９】
【図１】従来のベルト本体及びベルトヘッドの係合接続していない状態の立体分解説明図である。
【図２】本考案の実施例の立体図である。
【図３】本考案の実施例の正面平面図である。
【図４】本考案の実施例の側面平面図である。
【図５】本考案の実施例のベルトヘッドと係合接続していない状態の立体分解説明図である。
【考案を実施するための形態】
【００１０】
図２〜図５に示すように、本考案の通気性を有するベルトは、ベルト本体１を含み、該ベルト本体１の一側に複数のベルト孔１１を設け、ベルト本体１の他側１７は、ベルトヘッド１０（図５参照）のフック１０１により係合接続させることに用い、且つ該ベルト本体１は、ポリ塩化ビニル(PVC, Polyvinyl Chloride)、ポリウレタン(PU, Polyurethane)等の軟性プラスチック又はシリコーン材質である。
【００１１】
その特徴は、該ベルト本体１に間隔をおいて複数の貫通孔１２を配列し、通気及び換気作用を具えることであり、従って、使用者が運動又はその他の要因によってウエストに対してズボンの頭及び腰際の衣服を貼付させ、ベルト本体１を締める時、依然として通気及び換気を保持することができ、更に、着用が快適である目的を達成する。
【００１２】
また、該ベルト本体１の表面は、その上下両側の上下両端縁と所定の距離だけ離れた箇所にそれぞれ横方向の細凹溝１５，１６を設け、該ベルト本体１の裏面は、その上下両側の上下両端と所定距離だけ離れた箇所にそれぞれ横方向の細凹溝１５，１６を設け、ベルト本体１の可撓性及び柔軟性を向上させ、更に着用使用時にベルト本体１を更に腰部に貼合させ、着用時の快適性を更に向上させる。
【００１３】
また、該ベルト本体１の表面の各ベルト孔１１付近に比較的少なく貫通孔１２を配列して設け、ベルト本体１の構造強度に影響を及ぼさないようにする。
【００１４】
上記のように、本考案は、下記の増進効果を有する：
1.ベルト本体１に間隔をおいて複数の貫通孔１２を配列し、通気及び換気作用を有し、着用が快適である目的を達成する。
2.ベルト本体１の表裏面の上下両側にそれぞれ横方向の細凹溝１５，１６を設け、ベルト本体１の可撓性及び柔軟性を相対して向上させ、更に、着用使用時にベルト本体１を更に腰部に貼合させ、着用時の快適性を更に向上させることができる。
【符号の説明】
【００１５】
[従来技術]
２  ベルト本体
２０  ベルトヘッド
２０１  フック
２１  ベルト孔
２２  一側
[本考案]
１  ベルト本体
１０  ベルトヘッド
１０１  フック
１１  ベルト孔
１２  貫通孔
１５，１６  細凹溝
１７  一側
【図１】
0003192710.tif 000003
【図２】
0003192710.tif 000004
【図３】
0003192710.tif 000005
【図４】
0003192710.tif 000006
【図５】
0003192710.tif 000007